(57)【要約】【課題】薄いガラス板を用いた大画面プラズマディスプレイパネルであっても、パネルに加わるストレスを抑制するとともにパネルの変形量を抑制する。【解決手段】パネルと、パネルを保持するシャーシ５１とを備えたプラズマディスプレイ装置であって、シャーシ５１は、シャーシ部材６１と、シャーシ部材６１を補強する上側の補強部材６２ａおよび下側の補強部材６２ｂと、上側の補強部材６２ａと下側の補強部材６２ｂとを連結するフレーム５８とを備え、シャーシ５１の長辺に平行な方向の中心線をｘ軸、シャーシ５１の短辺に平行な方向の中心線をｙ軸とし、シャーシ５１の下側の長辺の端部のｙ座標を−１、上側の長辺の端部のｙ座標を１、それらの間のｙ座標を−１＜ｙ＜１とするとき、フレーム５８を、−０．７９≦ｙ≦−０．５５の位置と０．５５≦ｙ≦０．７９の位置とでシャーシ５１に取付けた。【選択図】図３
2009020149.tif 000002
【特許請求の範囲】
【請求項１】
プラズマディスプレイパネルと、前記プラズマディスプレイパネルを保持するシャーシとを備えたプラズマディスプレイ装置であって、
前記シャーシは、上側の長辺および下側の長辺のそれぞれの短部が折り曲げられた折曲部を有するシャーシ部材と、１辺を前記シャーシ部材の上側の折曲部で固定するとともに他辺を折曲部以外で固定して前記シャーシ部材を補強する上側の補強部材と、１辺を前記シャーシ部材の下側の折曲部で固定するとともに他辺を折曲部以外で固定して前記シャーシ部材を補強する下側の補強部材と、前記上側の補強部材と前記下側の補強部材とを連結するフレームとを備え、
前記シャーシの長辺に平行な方向の中心線をｘ軸、前記シャーシの短辺に平行な方向の中心線をｙ軸とし、前記シャーシの下側の長辺の端部のｙ座標を−１、上側の長辺の端部のｙ座標を１、それらの間のｙ座標を−１＜ｙ＜１とするとき、前記フレームを−０．７９≦ｙ≦−０．５５の位置と０．５５≦ｙ≦０．７９の位置とで前記シャーシに取付けたことを特徴とするプラズマディスプレイ装置。
【請求項２】
少なくとも２つの前記フレームを備え、
前記シャーシの左側の短辺の端部のｘ座標を−１、右側の短辺の端部のｘ座標を１、それらの間のｘ座標を−１＜ｘ＜１とするとき、１つの前記フレームを−０．６７≦ｘ≦−０．４４の位置で前記シャーシに取付け、もう１つの前記フレームを０．４４≦ｘ≦０．６７の位置で前記シャーシに取付けたことを特徴とする請求項１に記載のプラズマディスプレイ装置。
【請求項３】
前記シャーシ部材の前記上側の折曲部および前記下側の折曲部に孔を設けるとともに前記上側の補強部材および前記下側の補強部材に突出部を設け、前記突出部を前記折曲部の孔に挿入して、前記上側の折曲部に前記上側の補強部材の１辺を固定し、前記下側の折曲部に前記下側の補強部材の１辺を固定したことを特徴とする請求項１に記載のプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
画像表示素子として代表的なプラズマディスプレイパネル（以下、単に「パネル」と略記する）を用いたプラズマディスプレイ装置は、視野角が広く大画面化が容易であり、かつ自発光型であり画像表示品質が高いこと等から大画面画像表示装置の主流となりつつある。
【０００３】
パネルは、対向配置されたガラス製の前面板と背面板との間に多数の放電セルを構成してなる。前面板には表示電極対が形成され、背面板には放電セルを区画する隔壁が形成されている。前面板および背面板の大きさは、画面サイズが４２インチ相当のパネルであれば、それぞれ、例えば９８０ｍｍ×５７０ｍｍであり、その厚みは、それぞれ、例えば２．８ｍｍである。
【０００４】
またプラズマディスプレイ装置は、このようなパネルとその駆動回路とを前面枠とバックカバーとからなる筐体内部に収納して構成されている。前面枠には前面フィルタが嵌め込まれている。パネルは機械的なストレスに弱いので、パネルを筐体内部に収納する構造についてはパネルにストレスが加わらないように様々な工夫がなされている。例えば特許文献１には、弾力性のあるシートを挟んでシャーシにパネルを貼り付け、さらにそのシャーシに駆動回路等を実装して、パネルに加わるストレスを抑制したプラズマディスプレイ装置が開示されている。
【特許文献１】特許第３４９９８４７号公報
【発明の開示】
【発明が解決しようとする課題】
【０００５】
しかしながら、近年は、前面板および背面板に用いるガラス板の薄型化が進む一方でパネルの大型化が進み、ストレスに対するパネルの変形量が大きくなってきている。そのため、例えば搬送時に落下衝撃等を受けてパネルと前面フィルタとが衝突しパネルが破壊するといった恐れが高くなってきた。従って従来以上にストレスのかからないパネルの保持構造の開発が強く望まれている。
【０００６】
本発明のプラズマディスプレイ装置は、これらの課題に鑑みなされたものであり、薄いガラス板を用いた大画面パネルであっても、パネルに加わるストレスを抑制するとともにパネルの変形量を抑制し、パネルが破壊することのない保持構造を備えたプラズマディスプレイ装置を提供することを目的とする。
【課題を解決するための手段】
【０００７】
上記目的を達成するために、本発明は、パネルと、パネルを保持するシャーシとを備えたプラズマディスプレイ装置であって、シャーシは、上側の長辺および下側の長辺のそれぞれに断面の短部が折り曲げられた折曲部を有するシャーシ部材と、１辺をシャーシ部材の上側の折曲部で固定するとともに他辺を折曲部以外で固定してシャーシ部材を補強する上側の補強部材と、１辺をシャーシ部材の下側の折曲部で固定するとともに他辺を折曲部以外で固定してシャーシ部材を補強する下側の補強部材と、上側の補強部材と下側の補強部材とを連結するフレームとを備え、シャーシの長辺に平行な方向の中心線をｘ軸、シャーシの短辺に平行な方向の中心線をｙ軸とし、シャーシの下側の長辺の端部のｙ座標を−１、上側の長辺の端部のｙ座標を１、それらの間のｙ座標を−１＜ｙ＜１とするとき、フレームを−０．７９≦ｙ≦−０．５５の位置と０．５５≦ｙ≦０．７９の位置とでシャーシに取付けたことを特徴とする。この構成により、薄いガラス板を用いた大画面パネルであっても、パネルに加わるストレスを抑制するとともにパネルの変形量を抑制し、パネルが破壊することのない保持構造を備えたプラズマディスプレイ装置を提供することができる。
【０００８】
また、本発明のプラズマディスプレイ装置は、少なくとも２つの前記フレームを備え、シャーシの左側の短辺の端部のｘ座標を−１、右側の短辺の端部のｘ座標を１、それらの間のｘ座標を−１＜ｘ＜１とするとき、１つのフレームを−０．６７≦ｘ≦−０．４４の位置でシャーシに取付け、もう１つのフレームを０．４４≦ｘ≦０．６７の位置でシャーシに取付けることが望ましい。
【０００９】
また、本発明のプラズマディスプレイ装置は、シャーシ部材の上側の折曲部および下側の折曲部に孔を設けるとともに上側の補強部材および下側の補強部材に突出部を設け、突出部を折曲部の孔に挿入して、上側の折曲部に上側の補強部材の１辺を固定し、下側の折曲部に下側の補強部材の１辺を固定してもよい。
【発明の効果】
【００１０】
本発明によれば、薄いガラス板を用いた大画面パネルであっても、パネルに加わるストレスを抑制するとともにパネルの変形量を抑制し、パネルが破壊することのない保持構造を備えたプラズマディスプレイ装置を提供することが可能となる。
【発明を実施するための最良の形態】
【００１１】
以下、本発明の実施の形態におけるプラズマディスプレイ装置について、図面を用いて説明する。
【００１２】
（実施の形態）
図１は、本発明の実施の形態のプラズマディスプレイ装置に用いるパネルの要部を示す分解斜視図である。パネル１０は、ガラス製の前面基板２１と背面基板３１とを対向配置して、その間に放電空間を形成するように構成されている。前面基板２１上には走査電極２２と維持電極２３とから構成される表示電極対２４が複数形成されている。そして、表示電極対２４を覆うように誘電体層２５が形成され、誘電体層２５上には保護層２６が形成されている。また、背面基板３１上には複数のデータ電極３２が平行に形成され、データ電極３２を覆うように絶縁体層３３が形成され、さらに絶縁体層３３上に井桁状の隔壁３４が設けられている。また、絶縁体層３３の表面および隔壁３４の側面に蛍光体層３５が設けられている。そして、走査電極２２および維持電極２３とデータ電極３２とが交差するように前面基板２１と背面基板３１とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。なお、前面基板２１および背面基板３１の大きさは、６０インチ相当のパネルであれば、それぞれ、例えば１５００ｍｍ×８７０ｍｍであり、その厚みは、それぞれ、例えば１．８ｍｍである。
【００１３】
図２は、本発明の実施の形態におけるプラズマディスプレイ装置５０の構造を示す分解斜視図である。プラズマディスプレイ装置５０は、パネル１０と、パネル１０を保持するシャーシ５１と、パネル１０で発生した熱をシャーシ５１に伝達するとともにパネル１０とシャーシ５１とを接着するための熱伝導シート５２と、走査電極駆動回路、維持電極駆動回路、データ電極駆動回路、タイミング発生回路、電源回路ブロック等、パネル１０を駆動するための回路ブロック５３と、これらを収納する前面枠５４およびバックカバー５５とを備える。前面枠５４には、光学フィルタやＥＭＩフィルタ等の機能を兼ね備えた前面フィルタ５６が嵌め込まれている。またシャーシ５１には支持部材５７を介してフレーム５８が取付けられている。
【００１４】
図３は、本発明の実施の形態におけるプラズマディスプレイ装置５０のシャーシ５１およびフレーム５８の構造を示す図であり、図３（ａ）はバックカバー５５側から見た正面図、図３（ｂ）は側面の断面図である。シャーシ５１は、アルミニウム板の上側の長辺および下側の長辺のそれぞれの短部が折り曲げられて断面がＬ字状となった折曲部を有するシャーシ部材６１と、シャーシ部材６１を補強するための上側の補強部材６２ａ、下側の補強部材６２ｂとを有する。上側の補強部材６２ａは、１辺をシャーシ部材６１の上側の折曲部で固定するとともに他辺を折曲部以外で固定して、断面形状が矩形、正方形、台形等である中空の細長い空間（以下、「箱筒状の空間」と略記する）６３ａを形成するように、シャーシ部材６１の長辺の上側に取付けられている。下側の補強部材６２ｂは、１辺をシャーシ部材６１の下側の折曲部で固定するとともに他辺を折曲部以外で固定して箱筒状の空間６３ｂを形成するように、シャーシ部材６１の長辺の下側に取付けられている。そして本実施の形態においては、上側の補強部材６２ａと下側の補強部材６２ｂとを連結する左側のフレーム５８Ｌと右側のフレーム５８Ｒとがそれぞれの支持部材５７を介して取付けられている。
【００１５】
図４は、本発明の実施の形態におけるプラズマディスプレイ装置５０の補強部材６２ａの取付け図である。シャーシ部材６１の長辺側端部の折り曲げ加工された上側の折曲部７１ａには、上側の補強部材６２ａを嵌合するための複数の孔７２が設けられている。補強部材６２ａは図４に示したように２ヶ所でＬ字状に折り曲げ加工されている。補強部材６２ａには孔７２に挿入し固定するための突出部７５が複数設けられ、さらにシャーシ部材６１に固定するためのビス孔７４、支持部材５７を固定するためのビス孔が設けられている。
【００１６】
補強部材６２ａをシャーシ部材６１に取付けるには、補強部材６２ａの突出部７５をシャーシ部材６１の折曲部７１ａの孔７２に挿入し、その後、ビス７３で補強部材６２ａを折曲部以外のシャーシ部材６１に固定する。またフレーム５８をシャーシ５１に取付けるには、まず補強部材６２ａに合成樹脂製の支持部材５７を４本のネジ７６により取付け、その支持部材５７にフレーム５８をボルト７７により取付ける。なお、フレーム５８の最適な取付け位置については後述する。
【００１７】
このように本実施の形態においては、上側の補強部材６２ａとシャーシ部材６１とが箱筒状の空間６３ａを形成するように結合されている。図４には示していないが、下側の補強部材６２ｂについても同様に、シャーシ部材６１と箱筒状の空間６３ｂを形成するように結合されている。そのため、シャーシ５１の重量を大きくすることなく、シャーシ５１の剛性を大幅に向上させることができる。
【００１８】
そして、本実施の形態のシャーシ５１は、シャーシ部材６１の長辺側の上下の辺のそれぞれにＬ字状の曲げ加工を施し、その長辺側の上下の辺のそれぞれに上側の補強部材６２ａ、下側の補強部材６２ｂを取付け、上側の補強部材６２ａ、下側の補強部材６２ｂを接続するようにさらにフレーム５８を取付けている。そのため、図３（ａ）の水平方向に対しては、上側の補強部材６２ａ、下側の補強部材６２ｂがシャーシ５１の剛性を高め、同図の垂直方向に対しては、フレーム５８がシャーシ５１の剛性を高めている。また、シャーシ部材６１の長辺側の上下の辺まで含めてシャーシ５１全体に加重が分散されるので、シャーシ５１の変形が抑えられ、パネル１０に大きなストレスが加わることがなく、パネル１０に損傷を与えることがなくなる。
【００１９】
また本実施の形態においては、前面枠５４およびバックカバー５５の形成する空間に、フレーム５８を用いてシャーシ５１を固定することで、プラズマディスプレイ装置５０の搬送中の落下、転倒等の衝撃を和らげている。図５は、本発明の実施の形態におけるプラズマディスプレイ装置５０の側面の断面図である。図５には前面枠５４、パネル１０、シャーシ５１、支持部材５７、フレーム５８、バックカバー５５は図示しているが、回路ブロック５３等は省略している。このように、前面枠５４およびバックカバー５５の形成する筐体内部の空間に、シャーシ５１がフレーム５８および支持部材５７を介して固定されている。言い換えれば、シャーシ５１は前面枠５４またはバックカバー５５に直接固定されているのではなく、支持部材５７およびフレーム５８によって、筐体内部の空間にいわば宙吊り状態で固定されている。そのためプラズマディスプレイ装置５０に加えられた衝撃、すなわち前面枠５４またはバックカバー５５に加えられた衝撃が直接にシャーシ５１に伝播することがなくなる。さらにフレーム５８に伝わった衝撃は、シャーシ５１の特定の点に集中することなく、強度の強い箱筒状の空間６３ａ、６３ｂを形成した上側の補強部材６２ａ、下側の補強部材６２ｂを通して、シャーシ部材６１の長辺側の上下の辺まで含めてシャーシ５１全体に分散されるので、シャーシ５１の変形が発生しにくくパネル１０に加わるストレスも小さく抑えることができる。
【００２０】
次に、フレーム５８の最適な取付け位置を求めるために、プラズマディスプレイ装置５０が落下衝撃を受けたときのシャーシ５１の変位量ΔＺを計算した。計算方法は、プラズマディスプレイ装置５０の画像表示面を下にして１５Ｇの落下衝撃を与えたときの、フレーム５８の変位量、パネル１０を貼り付けたシャーシ５１の変位量をそれぞれ独立に計算し、それらの和をシャーシ５１の総合的な変位量ΔＺとした。なお、実際の落下衝撃では前面フィルタ５６も変位し、パネル１０と前面フィルタ５６とがさらに衝突しやすくなる。しかし、前面フィルタ５６の変位量は小さく、また前面フィルタ５６の変位量はフレーム５８の取付け位置に依存しないので、以下の計算では前面フィルタ５６の変位を無視した。
【００２１】
図６は、シャーシ５１上の位置を示すための座標（ｘ，ｙ）の説明図である。
【００２２】
以下の説明では、シャーシ５１の長辺に平行な方向の中心線をｘ軸、短辺に平行な方向の中心線をｙ軸と定義した。そして、シャーシ５１の下側の長辺の端部のｙ座標を−１、上側の長辺の端部のｙ座標を１、それらの間のｙ座標を−１＜ｙ＜１とし、シャーシ５１の左側の短辺の端部のｘ座標を−１、右側の短辺の端部のｘ座標を１、それらの間のｘ座標を−１＜ｘ＜１と定義した。このように、シャーシ５１上の位置を示すための座標（ｘ，ｙ）として、シャーシ５１の大きさにかかわらず、−１≦ｘ≦１、−１≦ｙ≦１となる相対座標を採用した。これは、大きさの異なるシャーシ５１のデータを直接に比較するためである。
【００２３】
このような定義の下で、左側のフレーム５８Ｌが、ｘ軸に対して対称な２つの位置、（−ｘｏ，ｙｏ）、（−ｘｏ，−ｙｏ）、（ただし、０≦ｘｏ≦１、０≦ｙｏ≦１）でシャーシ５１に取付けられており、右側のフレーム５８Ｒが、ｘ軸に対して対称な２つの位置、（ｘｏ，ｙｏ）、（ｘｏ，−ｙｏ）でシャーシ５１に取付けられているものとする。
【００２４】
上述したようにｘ軸およびｙ軸を定義すると、衝撃によるシャーシ５１の変位はｘ軸とｙ軸とに直交するｚ軸方向に発生することになる。図７は、本発明の実施の形態におけるプラズマディスプレイ装置５０のシャーシ５１の変位量ΔＺの計算結果を示す図であり、図７（ａ）は、フレーム５８の取付け位置のｙ座標とシャーシ５１の総合的な変位量ΔＺとの関係を示し、図７（ｂ）は、フレーム５８の取付け位置のｘ座標とシャーシ５１の変位量ΔＺとの関係を示している。なお、図７（ａ）および図７（ｂ）はともに４２吋のプラズマディスプレイ装置５０を想定して計算した結果である。パネル１０は、画面サイズが４２インチ、厚みが３．８ｍｍであり、シャーシ５１の大きさは９８０ｍｍ×５８０ｍｍ、厚みが１．５ｍｍのアルミ板、フレーム５８は長さ５９０ｍｍ、幅５２ｍｍ、厚み１．６ｍｍの鉄材で断面がコの字形状の曲げ部を有すると仮定した。
【００２５】
シャーシ５１の変位量ΔＺはシャーシ５１の中央の部分（ｘ，ｙ）＝（０，０）または四隅の部分（ｘ，ｙ）＝（±１，±１）で最大となり、中央の部分または四隅の部分でパネル１０と前面フィルタ５６とが衝突しやすいため、図７（ａ）および図７（ｂ）には、シャーシ５１の変位量ΔＺとして、中央の部分における変位量ΔＺｃと、四隅の部分における変位量ΔＺｅとを示している。
【００２６】
まず、図７（ａ）を用いて、フレーム５８の最適な取付け位置のｙ座標を求める。図７（ａ）に示すように、フレーム５８の取付け位置の座標ｙｏが「１」に近づくとシャーシ５１の四隅の部分における変位量ΔＺｅは小さくなり、取付け位置の座標ｙｏが「０」に近づくにつれて変位量ΔＺｅは大きくなる傾向がある。これは、フレーム５８の両端部が前面枠５４およびバックカバー５５に固定されており、シャーシ５１の上側の長辺および下側の長辺に近い位置にフレーム５８を取付けることによりシャーシ５１の上側の長辺および下側の長辺も間接的に前面枠５４に固定されるため、シャーシ５１の四隅の部分における変位量ΔＺｅも小さくなる。一方、シャーシ５１のｘ軸に近い位置にフレーム５８を取付けるとフレーム５８が板バネのように変形し、シャーシ５１全体を前後方向（ｚ方向）に振動させ、かつシャーシ５１の中央部を節とする振動の発生によりシャーシ５１の周辺部の振幅が大きくなるため変位量ΔＺｅが大きくなる。
【００２７】
また、フレーム５８の取付け位置ｙｏが「０」に近づいても「１」に近づいてもシャーシ５１の中央の部分における変位量ΔＺｃは大きくなり、特定の取付け位置で最小になる。フレーム５８の取付け位置ｙｏが「１」に近づくと変位量ΔＺｃが大きくなる理由は、シャーシ５１の上側の長辺および下側の長辺に近い位置にフレーム５８を取付けることにより、取付け位置を節とする振動が発生し、シャーシ５１の中央の部分の振幅が大きくなるためである。また、フレーム５８をｘ軸に近い位置に取付けると変位量ΔＺｃが大きくなる理由は、上述したように、フレーム５８が板バネのように変形し、シャーシ５１全体を前後方向（Ｚ方向）に振動させるため、変位量ΔＺｅと同様に変位量ΔＺｃも大きくなると考えられる。
【００２８】
以上のように、図７（ａ）に示した計算結果から、変位量ΔＺｅと変位量ΔＺｃとの大きいほうの値、ｍａｘ（ΔＺｅ，ΔＺｃ）が最も小さくなる取付け位置ｙｏは、ｙｏ＝０．６９であることが分かる。またこのときの中央部の変位量ΔＺｃは最小値３．４ｍｍとなる。またフレーム５８の取付け位置ｙｏが０．５５ｍｍのとき変位量ΔＺｅと変位量ΔＺｃとがともに３．９ｍｍと等しくなり、取付け位置ｙｏがそれより小さくなると変位量ΔＺｅが急激に大きくなる。そこで変形量が３．９ｍｍ以下となるフレーム５８の取付け位置ｙｏを求めると、０．５５≦ｙｏ≦０．８１となり、これが望ましいフレーム５８の取付け位置のｙ座標となる。
【００２９】
次に図７（ｂ）を用いて、フレーム５８の最適な取付け位置のｘ座標を求める。図７（ｂ）に示すように、フレーム５８の取付け位置の座標ｘｏが「１」に近づくとシャーシ５１の四隅の部分における変位量ΔＺｅは小さく、シャーシ５１の中央の部分における変位量ΔＺｃは大きくなる。逆に、フレーム５８の取付け位置の座標ｘｏがｙ軸に近づくにつれてシャーシ５１の四隅の部分における変位量ΔＺｅは大きく、シャーシ５１の中央の部分における変位量ΔＺｃは小さくなる。これは、フレーム５８の取付け位置を節とする振動がシャーシ５１に発生するためであると考えられる。すなわち、フレーム５８をシャーシ５１の左側の短辺および右側の短辺に近い位置に取付けると、その取付け位置を節とする振動が発生してシャーシ５１の中央部分の振幅が大きくなる。また、フレーム５８をシャーシ５１のｙ軸に近い位置に取付けると、その位置を節とする振動が発生してシャーシ５１の四隅の部分の振幅が大きくなる。
【００３０】
ここでも変位量ΔＺｅと変位量ΔＺｃとの大きいほうの値、ｍａｘ（ΔＺｅ，ΔＺｃ）が３．９ｍｍ以下となるフレーム５８の取付け位置ｘｏを求めると、０．４２≦ｘｏ≦０．６８が望ましいフレーム５８の取付け位置ｘｏとなる。
【００３１】
本発明者らは、４２吋に加えて、３７吋、５０吋のプラズマディスプレイ装置５０についても同様の計算を行い、望ましいフレーム５８の取付け位置を求めた。図８は、本発明の実施の形態におけるプラズマディスプレイ装置５０の望ましいフレーム５８の取付け位置を示す図であり、図８（ａ）は、各画面サイズにおける望ましいフレーム５８の取付け位置の座標ｙｏを、図８（ｂ）は、各画面サイズにおける望ましいフレーム５８の取付け位置の座標ｘｏをそれぞれ示している。このように、３７吋、４２吋、５０吋のプラズマディスプレイ装置５０におけるフレーム５８の望ましい取付け位置はパネル１０の画面サイズが変わってもほぼ一定である。そして、０．５５≦ｙｏ≦０．７９、０．４４≦ｘｏ≦０．６７の範囲でフレーム５８を取付けることで、薄いガラス板を用いた大画面パネル１０であっても、パネル１０に加わるストレスを抑制するとともにパネル１０の変形量を抑制し、パネル１０の破損を抑えることができることが明らかとなった。
【００３２】
なお、本実施の形態においては、支持部材５７を用いてフレーム５８を取付ける構造について説明したが、本発明は支持部材５７を用いずにフレーム５８を取付ける構造であっても適用することができる。しかし、絶縁性の材料を用いた支持部材５７を使用することにより、動作時の磁束の変化等によるノイズの発生を抑えることができる。
【００３３】
また、補強部材６２ａ、６２ｂには、駆動回路基板等を取付けるためのビス孔をさらに設けてもよい。さらに、補強部材６２ａ、６２ｂに絞り加工や切曲げ加工等によりボスを形成すれば、カシメボスや位置決めピンの使用数を減らすことができ、プラズマディスプレイ装置５０のコスト削減を図ることができる。
【産業上の利用可能性】
【００３４】
本発明は、薄いガラス板を用いた大画面パネルであっても、パネルに加わるストレスを抑制するとともにパネルの変形量を抑制できるので、パネルが破壊することのない保持構造を備えたプラズマディスプレイ装置として有用である。
【図面の簡単な説明】
【００３５】
【図１】本発明の実施の形態におけるプラズマディスプレイ装置に用いるパネルの要部を示す分解斜視図
【図２】同プラズマディスプレイ装置の構造を示す分解斜視図
【図３】同プラズマディスプレイ装置のシャーシおよびフレームの構造を示す図
【図４】同プラズマディスプレイ装置の補強部材の取付け図
【図５】同プラズマディスプレイ装置の側面の断面図
【図６】シャーシ上の位置を示すための座標（ｘ，ｙ）の説明図
【図７】同プラズマディスプレイ装置のシャーシの変位量の計算結果を示す図
【図８】同プラズマディスプレイ装置のフレームの取付け位置を示す図
【符号の説明】
【００３６】
１０    パネル
５０    プラズマディスプレイ装置
５１    シャーシ
５２    熱伝導シート
５３    回路ブロック
５４    前面枠
５５    バックカバー
５６    前面フィルタ
５７    支持部材
５８    フレーム
５８Ｌ    左側のフレーム
５８Ｒ    右側のフレーム
６１    シャーシ部材
６２    補強部材
６２ａ    （上側の）補強部材
６２ｂ    （下側の）補強部材
７１ａ    （上側の）折曲部
７２    孔
７４    ビス孔
７５    突出部
【図１】
2009020149.tif 000003
【図２】
2009020149.tif 000004
【図３】
2009020149.tif 000005
【図４】
2009020149.tif 000006
【図５】
2009020149.tif 000007
【図６】
2009020149.tif 000008
【図７】
2009020149.tif 000009
【図８】
2009020149.tif 000010